(57)【要約】 【課題】  機器本体の前方にパネルを設置する際に、１種類のブラケットにより、機器本体とパネルとの設置方向を自在に設定し固定することができる「車載用電子装置」を提供する。【解決手段】  機器本体２の本体側面４に曲面形状に形成され複数の取付穴２５ａ、２５ｂ、２５ｃが設けられた設置部２５を有するブラケット２０を設置し、パネル１０Ａ側に一体で設けられたパネルボス１１に対し、前記複数の取付穴２５ａ、２５ｂ、２５ｃのいずれかを選択しブラケットネジ２２により固定することにより、前記機器本体２に対し前記パネル１０Ａを異なる取付角度に設置することができる。【選択図】  図１
2006027287.tif 000002
【特許請求の範囲】
【請求項１】
車室内の所定領域に埋設される機器本体と、前記機器本体に設けられたブラケットとを有し、操作部と表示部の少なくとも一方を有するパネルが、前記ブラケットに固定される車載用電子装置において、
前記ブラケットには、機器本体の前部外方に向けられ且つ互いに異なる向きの複数の設置面が設けられて、前記パネルに設けられた固定部がいずれかの前記設置面を選択して設置可能とされているとともに、前記設置面と前記固定部とを固定する固定手段が設けられていることを特徴とする車載用電子装置。
【請求項２】
異なる方向に向く複数の前記設置面が、互いに連続して形成されている請求項１記載の車載用電子装置。
【請求項３】
前記固定手段は、それぞれの設置面に個別に形成された取付穴と、この取付穴に挿入されて前記パネルに螺着されるネジとで構成されている請求項１または２に記載の車載用電子装置。
【請求項４】
車室内の所定領域に埋設される機器本体と、前記機器本体に設けられたブラケットとを有し、操作部と表示部の少なくとも一方を有するパネルが、前記ブラケットに固定される車載用電子装置において、
前記ブラケットには、機器本体の前部外方への向きが連続して変化する曲面形状の設置面が設けられ、前記パネルに設けられた固定部が前記設置面上のいずれかの部位を選択して設置可能とされているとともに、前記設置面と前記固定部とを固定する固定手段が設けられていることを特徴とする車載用電子装置。
【請求項５】
前記固定手段は、前記曲面形状の設置面に互いに間隔を開けて形成された複数の取付穴と、この取付穴に挿入されて前記パネルに螺着されるネジとで構成されている請求項４記載の車載用電子装置。
【請求項６】
前記固定手段は、前記設置面において連続する長穴と、この長穴のいずれかの位置に挿入されて前記パネルに螺着されるネジとで構成されている請求項２または４記載の車載用電子装置。
【請求項７】
前記機器本体内には、記録媒体駆動装置が内蔵され、前記機器本体内への記録媒体の挿入経路が前記機器本体の底面とほぼ平行であり、前記パネルには、前記導入経路に通じる挿入口が形成されている請求項１ないし６のいずれかに記載の車載用電子装置。
【請求項８】
前記パネルは、前記機器本体の前部の面積よりも大きい請求項１ないし７のいずれかに記載の車載用電子装置。
【発明の詳細な説明】
【技術分野】
【０００１】
本発明は、車室内に埋設されて設置されるものであって、前部にパネルが固定される車載用電子装置に関する。
【背景技術】
【０００２】
車載用のオーディオ機器やナビゲーション機器などの車載用電子装置では、以下の特許文献１に示すように、機器本体の前部に操作部を有する化粧パネルが設置されている。その機器本体の内部には、カセットやＣＤまたはＣＤ−Ｒ、ＤＶＤなどの記録媒体を駆動する記録媒体駆動装置が機器本体の底面とほぼ平行に設置されている。記録媒体は前記化粧パネルに設けられた挿排口より機器本体内に挿入され、また機器本体内から排出される。
【０００３】
前記特許文献１に記載の車載用電子装置は、機器本体の前部に、機器本体の前部とほぼ同じ大きさの矩形形状の前記化粧パネルが取り付けられた構造である。この車載用電子装置は、車室内のインストルメントパネルに、いわゆる１ＤＩＮや２ＤＩＮの容積を持つ機器本体の前面とほぼ同じ大きさの矩形状の取付穴が予め形成された車種に適用するものである。前記車載用電子装置は、機器本体の前部に前記化粧パネルが取り付けられた状態で、前記取付穴内に埋設され、このとき化粧パネルの表面が前記インストルメントパネルの表面とほぼ同じ位置に設置される。
【０００４】
また、前記車載用電子装置として、機器本体の前部に、機器本体の前部の寸法よりも十分に大きな化粧パネルが取り付けられるものがある。この車載用電子装置の前記化粧パネルは、特定の車種のインストルメントパネルの形状に合うようにデザインされているものである。機器本体がインストルメントパネルに埋設された状態で、化粧パネルは前記インストルメントパネルの湾曲形状や傾斜形状に同化した外観を呈し、あるいは車室内装の一部分として前記インストルメントパネルのデザインに同化できるようになっている。
【０００５】
最近では、車載用電子装置の操作部が、インストルメントパネルの傾斜部に設置され、しかも前記操作部がインストルメントパネルの一部に同化しているものが好まれており、このようなデザイン性の要求から前記後者の取付け構造のものが普及している。
【０００６】
前記後者の車載用電子装置では、化粧パネルの裏面側に、ボス状の固定部が一体に形成されている。また、機器本体の前部にはブラケットが設けられている。機器本体の前部に前記化粧パネルが設置された状態で、その化粧パネルの前記固定部と前記ブラケットとがネジ止めなどによって互いに固定される。
【特許文献１】特開平９−１５８９３８号公報
【発明の開示】
【発明が解決しようとする課題】
【０００７】
前記後者の車載用電子装置は、機器本体の前部に前記機器本体の前部よりも大きい化粧パネルが固定されているが、この化粧パネルを、特定の車種に合わせたデザインとすると、以下の課題が生じることになる。
【０００８】
前記化粧パネルが車種に合わせて設計されるものであると、前記車載用電子装置を搭載する車種が相違するたびに、その化粧パネルもそれらの車種に合わせたデザインのものに変更しなくてはならない。
【０００９】
この場合に、異なるデザインの化粧パネルが、同一の機器本体に対して常に同じ姿勢（向き）で設置されるのであるならば、機器本体の前記ブラケットを各車種に対して共通のものとして使用することが可能である。しかし、実際には、前記化粧パネルの設置姿勢（設置向き）は、適用する車種のインストルメントパネルのデザイン、すなわちインストルメントパネルの曲面形状や傾斜形状に応じて種々変化するものとなるため、車種ごとの化粧パネルの設置姿勢に合わせて、機器本体の前部の構造や前記ブラケットの構造を個別に設計して製造することが必要となる。
【００１０】
また、一般的に、車室内のインストルメントパネルにおける前記機器本体の設置部では、機器本体はほぼ水平の姿勢、あるいは機器本体を傾けて設置したとしてもその傾斜角度はわずかである。その主な理由は、機器本体内に設けられた記録媒体駆動装置がＣＤなどのディスクを駆動するものである場合に、機器本体とともに記録媒体駆動装置が大きく傾斜して設置されると、耐振性能が劣化し、車体の振動が作用したときに音飛びなどの問題が生じやすくなる点にある。
【００１１】
そのため、車種によって化粧パネルをその表面が大きく傾斜する姿勢で設置されるものである場合には、前記機器本体の前部の形状を化粧パネルの傾斜姿勢に合わせて変更したり、あるいは機器本体に設けられるブラケットを、化粧パネルの傾斜姿勢に合わせた構造のものに変更しなくてはならなくなる。
【００１２】
本発明は上記従来の問題を解決するものであり、設置方向の異なる化粧パネル別に専用のブラケットを必要とせず、１つのブラケットにて化粧パネルを複数の取付姿勢に設置可能な車載用電子装置を提供することを目的としている。
【課題を解決するための手段】
【００１３】
本発明は、車室内の所定領域に埋設される機器本体と、前記機器本体に設けられたブラケットとを有し、操作部と表示部の少なくとも一方を有するパネルが、前記ブラケットに固定される車載用電子装置において、
前記ブラケットには、機器本体の前部外方に向けられ且つ互いに異なる向きの複数の設置面が設けられて、前記パネルに設けられた固定部がいずれかの前記設置面を選択して設置可能とされているとともに、前記設置面と前記固定部とを固定する固定手段が設けられていることを特徴とするものである。
【００１４】
従来は設置方向の異なるパネル別に専用のブラケットを必要としていたのに対し、本発明では、共通のブラケットで、同一のパネルあるいはデザインの相違するパネルを、前記複数の設置面に対応する様々な方向で機器本体に設置することが可能である。したがって、例えば前記機器本体の設置姿勢が水平設置などと限定された場合でも、前記パネル側は、前記複数の設置面から最適な設置面を選択することで設置方向を自在に変更し固定することができる。
【００１５】
次に、本発明では異なる方向に向く複数の前記設置面が、互いに連続して形成されている。したがって、前記パネルを前記ブラケット側に固定するときに、その連続した設置面のそれぞれに相対して設置方向を変えることができる。また、複数の前記設置面を１つの部材で構成することが可能である。
【００１６】
次に、本発明では前記固定手段は、それぞれの設置面に個別に形成された取付穴と、この取付穴に挿入されて前記パネルに螺着されるネジとで構成されている。したがって、前記パネルと前記ブラケットとは、この取付穴を使用し前記ネジなどの係止手段により互いに固定することができる。なお、前記係止手段はボルトやピンなど、ネジ以外の手段でも良い。また、前記パネルの固定部に形成されたネジ穴を、前記取付穴に嵌合する凸形状とすることにより、前記パネルと前記ブラケット双方の位置決めにも使用できる。
【００１７】
次に、本発明では車室内の所定領域に埋設される機器本体と、前記機器本体に設けられたブラケットとを有し、操作部と表示部の少なくとも一方を有するパネルが、前記ブラケットに固定される車載用電子装置において、
前記ブラケットには、機器本体の前部外方への向きが連続して変化する曲面形状の設置面が設けられ、前記パネルに設けられた固定部が前記設置面上のいずれかの部位を選択して設置可能とされているとともに、前記設置面と前記固定部とを固定する固定手段が設けられていることを特徴とする。
【００１８】
このため、従来は設置方向の異なるパネル別に専用のブラケットを必要としていたのに対し、本発明では、共通のブラケットで、同一のパネルあるいはデザインの相違するパネルを、前記曲面形状の設置面に対応する様々な方向で機器本体に設置することが可能である。したがって、例えば前記機器本体の設置姿勢が水平設置などと限定された場合でも、前記パネル側は、前記曲面形状の設置面の範囲内で設置方向を自在に変更し固定することができる。
【００１９】
次に、本発明では前記固定手段は、前記曲面形状の設置面に互いに間隔を開けて形成された複数の取付穴と、この取付穴に挿入されて前記パネルに螺着されるネジとで構成されている。したがって、前記パネルと前記ブラケットとは、この取付穴を使用しネジなどの係止手段により互いに固定することができる。なお、前記係止手段はボルトやピンなど、ネジ以外の手段でも良い。また、前記パネルの固定部に形成されたネジ穴を、前記取付穴に嵌合する凸形状とすることにより、前記パネルと前記ブラケット双方の位置決めにも使用できる。
【００２０】
次に、本発明では前記固定手段は、前記設置面において連続する長穴と、この長穴のいずれかの位置に挿入されて前記パネルに螺着されるネジとで構成されている。したがって、前記パネルと前記ブラケットとは、前記長穴の開口範囲内で無段階に、あるいは段階的に固定することが可能である。また前記長穴の両端部にて、前記固定手段の位置可変の範囲を限定するストッパーとすることもできる。
【００２１】
次に、本発明では前記機器本体内には、記録媒体駆動装置が内蔵され、前記機器本体内への記録媒体の挿入経路が前記機器本体の底面とほぼ平行であり、前記パネルには、前記導入経路に通じる挿入口が形成されている。さらに本発明により前記機器本体を水平方向に沿って設置することも可能なため、記録媒体駆動装置も水平または水平に近い姿勢に設置でき、耐振性に優れたものとなる。
【００２２】
次に、本発明では前記パネルは、前記機器本体の前部の面積よりも大きい。本発明は前記パネルの面積を制約するものではなく、したがって前記パネルは各種車種における車室内のデザインに合うように、前記機器本体の前部の面積よりも大きいものとして構成することが可能である。
【発明の効果】
【００２３】
本発明では、複数の設置面あるいは曲面形状の設置面が設けられた共通のブラケットを機器本体に設け、複数の設置面、あるいは曲面形状の設置のいずれかの部位にパネルの固定部を固定することにより、前記機器本体に対するパネルの設置方向を自在に変更することができる。
【発明を実施するための最良の形態】
【００２４】
図１は本発明の第１の実施の形態の車載用電子装置を示すものであり、機器本体に設けられたブラケットにパネルが固定されている状態を示す斜視図、図２はブラケットに設けられた曲面形状の設置面を示す図１の側面図、図３は曲面形状の設置面のなかで図２とは異なる部位を選択したパネルの設置状態を示す側面図である。図４は設置面に個別の取付穴を形成した実施の形態を示す図１のＡ矢視図、図５は設置面に連続する長穴を形成した実施の形態を示す図１のＡ矢視図である。図６は車体に対するインストルメントパネルの設置状態を示す断面図である。
【００２５】
図７は第２の実施の形態の車載用電子装置を示すものであり、ブラケットに設けられた複数の設置面を示す側面図、図８は第２の実施の形態において、図７とは異なる設置面を選択したパネルの設置状態を示す側面図である。
【００２６】
図１に示す車載用電子装置１は、機器本体２と、この機器本体２の両側部前方に取り付けられるブラケット２０と、前記ブラケット２０に固定されるパネル１０Ａまたは１０Ｂとから構成されている。
【００２７】
この車載用電子装置１は、共通のブラケット２０を用いて、異なる構造の第１のパネル１０Ａと図３に示す第２のパネル１０Ｂとを取り付けることが可能である。図１と図２は、第１のパネル１０Ａが取り付けられた状態を示し、図３は第２のパネル１０Ｂが取り付けられた状態を示している。図２に示すように、第１のパネル１０Ａでは、記録媒体であるディスク６０を挿入する挿入排出口１４が、パネルの中央部よりも上方位置に開口しており、図３に示すように、第２のパネル１０Ｂでは、前記挿入排出口１４が、パネルの中央部よりもやや下方に開口し、且つパネル表面１２に対して傾斜して設けられている。第１のパネル１０Ａと第２のパネル１０Ｂのいずれが取り付けられた場合であっても、挿入排出口１４は、機器本体２の本体正面３のＺ方行における同じ高さ位置に対向できるようになっている。
【００２８】
図２と図３では、第１のパネル１０Ａと第２のパネル１０Ｂの側面形状が同じであるように図示しているが、第１のパネル１０Ａと第２のパネル１０Ｂは、その大きさや側面形状が相違し、さらにはパネル表面１２の湾曲形状などが相違するものであってもよい。また、第１のパネル１０Ａと第２のパネル１０Ｂとで、パネル表面１２に設けられた操作部材や表示部材が異なるものであってもよい。
【００２９】
前記機器本体２は、薄板の板金材からなる六面体の箱形状に形成されたものであり、外形寸法はいわゆる１ＤＩＮサイズまたは２ＤＩＮサイズである。その機器本体２の本体正面３には、記録媒体であるＣＤやＤＶＤなどのディスク６０を挿入排出するための挿入排出部（図示なし）が開口されている。この挿入排出部は、前記第１のパネル１０Ａと第２のパネル１０Ｂの双方の挿入排出口１４に対向できる位置に開口している。なお、記録媒体は、ＭＤやカセットテープあるいはメモリカード、メモリパッケージなどであってもよい。
【００３０】
機器本体２の内部には、ＣＤやＭＤなどのディスク６０を駆動するための記録媒体駆動装置であるディスク駆動装置６１が、機器本体２の底面部に対し平行に設置されている。図２の第１のパネル１０Ａが取り付けられたときと、図３の第２のパネル１０Ｂが取り付けられたときの双方において、挿入排出口１４から挿入されたディスク６０は、機器本体２の底面とほぼ平行な経路に沿ってこの機器本体２内に搬入され、ディスク駆動装置６１内に装填されるようになっている。
【００３１】
前記第１のパネル１０Ａと第２のパネル１０Ｂは、合成樹脂により形成された化粧板（化粧パネル）であり、前記本体正面３に対向しこの本体正面３の前記挿入排出口を覆うように設置される。それぞれのパネル１０Ａ、１０Ｂは、パネル表面１２に各種操作ボタンや液晶表示素子などの表示部材（何れも図示なし）などが設けられている。例えばパネル表面１２には、操作ボタンなどの各種操作部材のみが配置されていてもよいし、表示部材のみが配置されていてもよいし、あるいは操作部材と表示部材の双方が配置されていてもよい。
【００３２】
パネル表面１２には、ディスク６０を挿入排出するための前記挿入排出口１４および、挿入排出時以外にその挿入排出口１４を目隠しするための挿入排出口扉（図示なし）が設けられている。前述のように、第１のパネル１０Ａと第２のパネル１０Ｂは、それぞれが機器本体２の前部に設置されたときに、挿入排出口１４が、前記ディスク駆動装置６１に対向し、この挿入排出口１４を経てディスク駆動装置６１に対してディスク６０を供給し、また排出することができる。
【００３３】
第１のパネル１０Ａと第２のパネル１０Ｂは、それぞれパネル裏面１３に、固定部として機能するパネルボス１１が一体に突出形成されている。図の実施の形態では、パネルボス１１がパネル裏面１３に対し垂直（Ｙ２）方向に突出している。ただし、パネルボス１１は、パネル裏面１３に対して斜めに延びているものであってもよい。
【００３４】
このパネルボス１１は後述するブラケット２０へ前記パネル１０Ａ、１０Ｂを設置する為のもので、円筒形の形状をしており、その円筒の中心には、ブラケットネジ２２と螺合する雌ねじ穴（図示なし）が設けられている。なお、パネルボス１１においてブラケット２０と接触する部位の形状に関しては平坦な面でも、あるいはブラケット２０側の接触部と相似形状の曲面として、双方が密着可能に形成しても良い。
【００３５】
図１に示すブラケット２０は、薄板の板金材や高強度プラスチック（エンジニアリングプラスチック）などにより形成されている。このブラケット２０はブラケット装着部２１と設置部２５の２つの部位からなり、それら２つの部位は一体に形成されている。ブラケット装着部２１はＬ字型の曲げ部を有し、その曲げ部の一方は前記機器本体２の本体側面４にネジ止めなどで固定されており、他方は前記設置部２５と接続されている。図２に示すように設置部２５は任意の半径Ｒからなる曲面形状に形成されており、パネルボス１１に接する取付け表面Ｃ１とその裏面側であるネジ止め面Ｃ２から構成されている。
【００３６】
なお、図２に示す前記設置部２５の曲面形状は、中央部Ｃ１ａが前記パネルボス１１側に突出し、両端部Ｃ１ｂおよびＣ１ｃが前記パネル裏面１３より離れたＹ１方向に凸の曲面となっているが、この曲面の向きに関しては逆にＹ２方向に凸でも良い。
【００３７】
この設置部２５には、前記ブラケットネジ２２のネジ部が挿通可能な取付穴が開口しており、前記ブラケットネジ２２と取付穴とで、設置部２５をパネルボス１１へ固定するための固定手段が構成されている。取付穴は図４に示すように、互いに間隔をあけて独立した取付穴２５ａ、２５ｂ、２５ｃが個別に形成されていても良いし、または図５に示すように、連続する長穴から成る取付穴２５ｄが形成されているものであってもよい。
【００３８】
図４に示すように、互いに独立した取付穴２５ａ、２５ｂ、２５ｃが形成されているものでは、パネルボス１１が前記取付け表面Ｃ１のうちの、前記取付穴２５ａ、２５ｂ、２５ｃが形成されている３箇所に固定可能である。この場合には、前記取付け表面Ｃ１のうちの、それぞれの取付穴が形成されている場所が設置面となり、ブラケット２０には３つの設置面が形成されていることになる。これに対し、図５に示すように、長穴の取付穴２５ｄが形成されているものでは、前記取付け表面Ｃ１のうちの、前記取付穴２５ｄが形成されている範囲のいずれの箇所であっても前記パネルボス１１を取り付けることが可能である。よって、図５に示す例では、前記取付け表面Ｃ１に、取付穴２５ｄが形成されている範囲において無段階に多数の設置面が形成されていることになる。
【００３９】
なお、この設置部２５をバネ性を持つ材質で形成することにより、前記ブラケットネジ２２による前記ネジ止め面Ｃ２への押圧により前記パネルボス１１の接触面側の形状に倣い撓ませて、双方の密着性を向上させることも可能である。
【００４０】
次に、車載用電子装置１の取付けについて説明する。
図６は、自動車の車体５４を示している。車体５４の車室内の前方には、インストルメントパネル（以下インパネと称す）５１が設けられており、このインパネ５１に、計器盤、その他各種電装品が設置される。
【００４１】
前記車載用電子装置１は、インパネ５１に対して、異なる設置場所に設置することが可能である。図６は１種類の車体５４を示しているが、ここでは、異なる車種を想定し、第１の車種では、インパネ５１のほぼ垂直な部分に車載用電子装置１の実装部５２が設けられているものとし、前記第１の車種と異なる車種である第２の車種では、インパネ５１の傾斜部に車載用電子装置１の実装部５３が設けられているものとする。
【００４２】
最初に、第１の車種の実装部５２への前記車載用電子装置１の取付けについて説明する。
【００４３】
前記実装部５２でのインパネ５１の表面はほぼ垂直面であり、この垂直面に取付け開口部５２ａが形成されている。車載用電子装置１の機器本体２は、前記取付け開口部５２ａの内部に挿入された状態で、図示しない取付け具によって固定される。このとき、機器本体２の本体正面３は、インパネ５１の表面に一致し、または前記表面よりもやや奥側に位置するように設置される。また、機器本体２はその底面と上面がほぼ水平に向く姿勢に設置される。
【００４４】
実装部５２への設置の際には、図１と図２に示す第１のパネル１０Ａが使用される。このとき、図４に示すように、ブラケット２０の設置部２５の中央に形成された前記取付穴２５ａに対し、ブラケットネジ２２がネジ止め面Ｃ２側から挿入されて、パネルボス１１に螺着される。すなわち、取付け表面Ｃ１のうちの中央の取付穴２５ａが形成されている部分が設置面として使用される。
【００４５】
または、図５に示すように長穴の取付穴２５ｄが形成されたブラケット２０を使用する場合は、取付穴２５ｄの中央部分に対し、ネジ止め面Ｃ２側からブラケットネジ２２が挿入されて、前記パネルボス１１に螺着される。この場合は、取付け表面Ｃ１において長穴である取付穴２５ｄの中央の部分が設置面として使用される。
【００４６】
前記のようにブラケットネジ２２で固定した第１のパネル１０Ａは、図２に示すように、機器本体２の中心線Ｏに対してほぼ垂直姿勢となる。なお、中心線Ｏとは、機器本体２の底面と上面に平行で、且つ両側面に平行であり、底面と上面との中心および両側面の中心を通る線である。
【００４７】
機器本体２に対して第１のパネル１０Ａが取り付けられると、この第１のパネル１０Ａは、そのパネル表面１２が、インパネ５１の垂直な面と平行に設置されることになる。
【００４８】
次に、第２の車種の実装部５３への前記車載用電子装置１の取付けについて説明する。
前記実装部５３でのインパネ５１の表面は垂直面に対して傾斜した傾斜面であり、この傾斜面に取付け開口部５３ａが形成されている。図６では、前記傾斜面の水平面に対する傾斜角度をθ１で示している。車載用電子装置１の機器本体２は、前記取付け開口部５３ａの内部に挿入された状態で、図示しない取付け具によって固定される。このとき、機器本体２の本体正面３は、インパネ５１の傾斜した表面に一致し、または前記傾斜した表面よりもやや奥側に位置するように設置される。なお、取付け開口部５３ａ内に設置された機器本体２は、インパネ５１の傾斜面に合わせて大きく傾けて設置する必要はなく、機器本体２の底面と上面とをほぼ水平に向けて設置でき、または機器本体２を傾斜して設置したとしても、その傾斜角度はわずかである。
【００４９】
実装部５３への設置の際には、図３に示す第２のパネル１０Ｂが使用される。このとき、図４に示すブラケット２０の設置部２５に形成されたＺ１側の取付穴２５ｂに対し、ブラケットネジ２２がネジ止め面Ｃ２側から挿入されて、パネルボス１１に螺着される。このときは、取付け表面Ｃ１のうちの上方の取付穴２５ｂが形成されている部分が設置面として使用される。
【００５０】
または、図５に示すブラケット２０の長穴の取付穴２５ｄが形成されたブラケット２０を使用する場合は、取付穴２５ｄの上方部分に対し、ネジ止め面Ｃ２側からブラケットネジ２２が挿入されて、前記パネルボス１１に螺着される。この場合は、取付け表面Ｃ１において長穴である取付穴２５ｄの上方部分が設置面として使用される。
【００５１】
ブラケットネジ２２で固定された第２のパネル１０Ｂは、図３に示すように、機器本体２の中心線Ｏに対して傾斜した姿勢で設置される。そのため、前記取付け開口部５３ａ内へ機器本体２をほぼ水平姿勢で設置したとしても、第２のパネル１０Ｂは、そのパネル表面１２が、インパネ５１の上方の傾斜面と平行に設置されることになる。
【００５２】
また、第１のパネル１０Ａが設置されたときと、第２のパネル１０Ｂが設置されたときの双方において、各パネル１０Ａ、１０Ｂに形成された挿入排出口１４が、機器本体２の内部のディスク駆動装置６１に対向し、この挿入排出口１４とディスク駆動装置６１との間でディスク６０をほぼ水平状態で搬送できるようになる。
【００５３】
車載用電子装置１がインパネ５１の傾斜面に形成された実装部５３に実装され、第２のパネル１０Ｂのパネル表面１２が、前記傾斜面に合わせて傾けて設置された場合であっても、機器本体２をほぼ水平に設置でき、または大きく傾けて設置する必要がないため、ディスク駆動装置６１をほぼ水平姿勢で使用することができ、外部振動が作用したときに、機器本体２内において防振装置を介して支持されているディスク駆動装置６１の耐振性能を低下させるのを防止できる。
【００５４】
なお、上記実施の形態では、ブラケット２０のネジ止め面Ｃ２側から各取付穴２５ａ〜２５ｄにブラケットネジ２２を挿通し、このブラケットネジ２２をパネルボス１１に螺着することにより、機器本体２に各パネル１０Ａ、１０Ｂを固定するようにしたが、各パネル１０Ａ、１０Ｂに貫通孔を有するフランジを設け、ブラケット２０の各取付穴２５ａ〜２５ｃに代えて雌ネジ穴を形成してフランジの前方から貫通孔を挿通させたブラケットネジ２２をブラケット２０の何れかの雌ネジ穴に選択的に螺着させることによって、機器本体２に各パネル１０Ａ、１０Ｂを固定するようにしても良い。
【００５５】
次に、図７および図８に示す第２の実施の形態について説明する。
第２の実施の形態は、前記第１の実施の形態における設置部２５の形状の変形例である。したがって、設置部２５以外の構成に関しては第１の実施の形態と同じである。
【００５６】
図７に示す様に、設置部２５０には、それぞれは平面である設置面ａ１、ａ２、ａ３が連続して形成されている。中心線Ｏに対して垂直である第１の設置面ａ１に対し、第２の設置面ａ２と第３の設置面ａ３は水平面に対してそれぞれθ１の角度で傾斜している。図７の実施の形態では、第２の設置面ａ２と第３の設置面ａ３が、第１の設置面ａ１に対してＹ１側に折り曲げられているが、これとは逆にＹ２側に折り曲げられていてもよい。また、前記設置面の数は３つ以上でも良い。
【００５７】
この設置部２５０の表面には、前記ブラケットネジ２２のネジ部が挿通可能な穴が開口されており、その穴は、第１の設置面ａ１、第２の設置面ａ２および第３の設置面ａ３に個別に設けられた取付穴であってもよいし、あるいは各設置面ａ１〜ａ３に連続している長穴の取付穴であってもよい。
【００５８】
図７に示すように、第１のパネル１０Ａが使用されるときには、パネルボス１１が、第１の設置面ａ１に設置されてブラケットネジ２２で固定される。図８に示すように、第２のパネル１０Ｂが使用されるときには、パネルボス１１が第２の設置面ａ２に設置されて、ブラケットネジ２２で固定される。
【図面の簡単な説明】
【００５９】
【図１】本発明の第１の実施の形態の車載用電子装置を示すものであり、機器本体に設けられたブラケットにパネルが固定されている状態を示す斜視図。
【図２】ブラケットに設けられた曲面形状の設置面を示す図１の側面図。
【図３】曲面形状の設置面のうち図２とは異なる部位を選択したパネルの設置状態を示す図１の側面図。
【図４】設置面に個別の取付穴を形成した実施の形態を示す図１のＡ矢視図。
【図５】設置面に連続する長穴を形成した実施の形態を示す図１のＡ矢視図。
【図６】車体に対するインストルメントパネルの設置状態および複数の実装部を示す断面図。
【図７】本発明の第２の実施の形態を示すものであり、ブラケットに設けられた複数の設置面を示す側面図。
【図８】第２の実施の形態において、図７とは異なる設置面を選択したパネルの設置状態を示す側面図。
【符号の説明】
【００６０】
１  車載用電子装置
２  機器本体
３  本体正面
４  本体側面
１０Ａ  第１のパネル
１０Ｂ  第２のパネル
１１  パネルボス
１２  パネル表面
１３  パネル裏面
２０  ブラケット
２１  ブラケット装着部
２２  ブラケットネジ
２５  設置部
５１  インストルメントパネル
５２  実装部
５３  実装部
５４  車体
６０  ディスク
【図１】
2006027287.tif 000003
【図２】
2006027287.tif 000004
【図３】
2006027287.tif 000005
【図４】
2006027287.tif 000006
【図５】
2006027287.tif 000007
【図６】
2006027287.tif 000008
【図７】
2006027287.tif 000009
【図８】
2006027287.tif 000010